(57)【要約】【課題】2枚以上の光ディスクを戴置しても光ディスクならびに光ディスク装置にダメージを与えなくできるようにした光ディスク装置を提供する。【解決手段】光ディスク1を回転駆動する駆動手段2と、２枚以上の光ディスクが載置されたことを検出する手段（9,11）と、検出手段（9,11）が２枚以上のディスクが載置されたことを検出した場合、駆動手段2による回転駆動を停止する手段(11,3)と、回転駆動を停止したことを通知する手段（11,13）とを光ディスク装置である。【選択図】図１
2010198710.tif 000002
【特許請求の範囲】
【請求項１】
ディスクを回転駆動する駆動手段と、
２枚以上のディスクが載置されたことを検出する手段と、
前記検出手段が２枚以上のディスクが載置されたことを検出した場合、前記駆動手段による回転駆動を停止する手段と
を備えた光ディスク装置。
【請求項２】
前記検出手段が２枚以上のディスクが載置されたことを検出するに必要なディスクの回転速度は、データ読み出しに必要な回転速度以下である、請求項1に記載の光ディスク装置
【請求項３】
前記検出手段は、駆動開始からの経過時間とディスクの回転速度との特性を用いて２枚以上のディスクが載置されたことを検出する、請求項1に記載の光ディスク装置。
【請求項４】
前記検出手段は、前記駆動手段により前記ディスクを駆動してから一定時間経過後における前記ディスクの回転速度を検出するか、または一定回転数速度に至る時間を検出することで２枚以上のディスクが載置されたことを検出する、請求項３に記載の光ディスク装置。
【請求項５】
さらに前記回転駆動を停止したことを通知する手段を有する、請求項1に記載の光ディスク装置。
【発明の詳細な説明】
【技術分野】
【０００１】
本発明は、２枚以上のディスクが載置されたことを検出する検出手段を備えた光ディスク装置に関するものである。
【背景技術】
【０００２】
従来、光ディスク装置のディスク起動手順としては、特許文献１にあるように、８ｃｍ・１２ｃｍなどのサイズを有するディスクや、ハート型・名刺型などの形状の異なるディスクの種類を、ディスクの回転加速度によって判別し、その判別結果から読み込みに必要なサーボ制御の設定を高速化するものが知られている。
これらは、ディスク起動手順において、トレーまたはローディング機構等によってディスクをディスク装置内に取り込み、磁力等によって挟み込む固定装置によって固定された後、レーザを発光させ、その反射光量によってディスクの有無を判別する。
ディスクが戴置されていると判断すると、データを読み出せる速度までディスクを回転させる。そしてレーザを発光させ、ディスク上のデータの読み出しを行う。このとき、読み出し信号の状態を最適化するためのサーボ制御の設定を高速化するものであった。
【特許文献１】特開２００４−１１８９１４号公報
【発明の開示】
【発明が解決しようとする課題】
【０００３】
従来の構成では変形ディスクあるいは規格外ディスクに対してもデータ読み出しに必要なディスク回転速度まで加速を実行、あるいは再試行を繰り返す制御が行われ所望の回転サーボ特性に迅速に調整できる。しかしながら、従来の構成では、２枚以上のディスクが載置された場合などの異常状態を検出することは想定されていないため、データ読み出しに必要なディスク回転速度まで加速を実行、あるいは再試行を繰り返す制御が行われることで、結果としてディスク装置ならびにディスクに損傷を与えてしまう可能性があった。
最近、DVDやBDのような記録型光ディスクにおいては、記録・再生時における記録面の保護のためにディスクに特殊なコーティングを施されたものが多く、このコーティング素材によって、帯電などが発生し、重ねられたディスクが張り付く現象が発生する。
また、記録型光ディスクは、スピンドルと呼ばれる複数枚のディスクを直接重ねた形状での販売・保管が多くみられるようになった。特にBDでは、物理形状的に内周部のリブが無く、ディスクが重ねられた場合に吸着する現象が発生する。
これらの理由によって、ユーザがディスクをディスク装置に戴置する場合に、最上位の１枚を取り上げ、ディスク装置に戴置しようとしたとき、誤って２枚以上のディスクをディスク装置に戴置することがみられるようになった。
上記の従来の構成では2枚以上のディスクがディスク装置に戴置された場合にも、ディスクが載置されたと判断し、データ読み出しに必要な回転速度までディスクを加速させてしまう。このとき、2枚以上のディスクが戴置されていると、磁力によってディスクを挟み込む固定装置では、ディスクの厚みが倍化することで十分な磁力が発生せず、ディスクの遠心力や振動によって回転した状態のディスクが固定装置を離れ、ディスク装置及びディスク自体に深刻な損傷を与える可能性があった。
２枚以上のディスクが戴置された場合でも、固定装置から離れないように固定装置の磁力を強めた場合、１枚のディスク時には挟む力が強くなりすぎるため、装着・脱着時に大きな異音が発生する。さらに脱着に必要な力を得るために動力を強化する必要があるため、コストが増加してしまう。
また、固定装置に厚みセンサーを取り付けることで、２枚以上のディスクが戴置されたことを検出できるが、これもコストの増加になってしまうため、これらは上記課題を有効に解決するものではない。
本発明は、上記課題を解決するものであって、その目的とするところは、特別なコストを掛けることなく２枚以上の光ディスクを戴置しても光ディスクおよび光ディスク装置に損傷を与えなくできるようにした光ディスク装置を提供することにある。
【課題を解決するための手段】
【０００４】
この発明は上記の目的を達成するため、次の（１）〜（４）の装置を提供する。
（１）ディスクを回転駆動する駆動手段と、２枚以上のディスクが載置されたことを検出する手段と、前記検出手段が２枚以上のディスクが載置されたことを検出した場合、前記駆動手段による回転駆動を停止する手段とを備えたディスク装置である。
（２）（１）の光ディスク装置において、前記検出手段が２枚以上のディスクが載置されたことを検出するに必要なディスクの回転速度は、データ読み出しに必要な回転速度以下である。
（３）（１）の光ディスク装置において、前記検出手段は、駆動開始からの経過時間とディスクの回転速度との特性を用いて２枚以上のディスクが載置されたことを検出する。より具体的には、前記検出手段は、前記駆動手段により前記ディスクを駆動してから一定時間経過後における前記ディスクの回転速度を検出するか、または一定回転数速度に至る時間を検出することで２枚以上のディスクが載置されたことを検出する。
（４）（１）の光ディスク装置において、前記回転駆動を停止したことを通知する手段をさらに有する。
【発明の効果】
【０００５】
本発明によれば、2枚以上のディスクを戴置したことを検出し、ディスクの回転速度が大きくなる前に回転駆動を停止することで、ディスク及びディスク装置に損傷を与えることなく安全に利用することができる。
【発明を実施するための最良の形態】
【０００６】
以下、この発明の実施形態を図面に基づいて具体的に説明する。
図１は、この発明の一実施形態であるディスク装置の構成を示すブロック図である。このディスク装置は、ディスク１を回転させるモータ２と、モータ２の回転を制御する回転制御系部３と、ディスク１をモータ２に磁力によって固定する固定装置１０と、ディスク１の径方向を軸として加わる角速度を検出する角速度センサー９と、ディスク１にデータ記録再生のためのレーザ光Ｌを照射する光ピックアップ４と、そのレーザ光Ｌの発光の制御を行う光ピックアップ制御部５と、光ピックアップ４を光ディスク１の半径方向に移動させる粗動モータ６と、粗動モータ６の回転駆動を制御する粗動モータ制御部７と、光ピックアップ４への信号及び光ピックアップ４ からの信号を制御する信号処理制御部８と、ホスト装置１３との間で信号のやり取りするためのＡＴＡＰＩ、ＳＣＳＩ、１ＥＥＥ１３９４、ＵＳＢ等の外部インターフェイス１２と、このドライブ全体を制御するコントローラ１１を備えている。
図２は本ディスク装置において、ディスク起動を行う際のフローチャートである。ステップＳ１〜Ｓ２のように、ディスク１が固定装置１０に固定された状態で、光ピックアップ４からレーザを発光すると、ディスク１が存在すれば、ディスク１によって反射されたレーザ光が再び光ピックアップ４に戻ってくる。反射光がもどったことは、信号処理制御部８を通して、コントローラ１１に通知される。ディスク１が存在しない場合は、レーザ光は反射されず、光ピックアップ４に戻ってくることはない。コントローラ１１は、信号処理制御部８からの通知がないことで、反射光がないことを確認できる。このように光ピックアップ４にレーザ光が戻ってくることで、ステップＳ３に示すようにディスク１の有無を判断する。
ステップＳ３がＮｏの場合、ディスク１が存在しないため、コントローラ１１はインターフェイス１２を通して、ステップＳ４のように、ディスク無し情報をホスト装置１３に通知し、ディスク起動手順を終了する。
ステップＳ３がＹｅｓの場合、ディスク１が存在する。コントローラ１１は、ステップＳ５に示すように、回転制御部３に指令を出し、モータ２に所定の駆動信号を印加し、ディスク１は回転動作を開始する。
このとき、ステップ６で駆動開始してから所定時間Ｔが経過した後、角速度センサー９にはモータ２の回転に連動して信号が入力される。この信号からステップＳ７に示すディスクの回転速度ωを計測できる。
図３に２枚のディスクがディスク装置に載置された場合の、駆動開始からの時間と回転速度の関係を示す。基準ディスクである１２ｃｍディスクの駆動開始から規定回転速度ωmaxの１／２である基準回転速度ω０までの到達時間をＴとする。到達時間Ｔ後における回転速度ωを計測すると、２枚以上のディスクが載置されている場合、基準回転速度ω０に対して１／２以下の回転速度にしか到達できない。こうすることで、２枚以上のディスクが載置された場合に、回転速度を高めることなく２枚以上のディスクが載置されていることを判別することが可能である。
すなわち、ステップＳ８で基準ディスクである１２ｃｍディスクが装着された場合に一定時間Ｔで得られる回転速度との速度比を算出することで、ステップＳ１０に示す２枚以上のディスクが載置されていることの判別ができる。
なお、回転速度が1200(rpm)に到達までの時間は、8cmディスクでは68(ms)、12cmディスクでは200(ms)、12cmx2ディスクでは400(ms)以上である。
本発明の特徴の１つは、回転速度を高める前に２枚以上のディスクが載置されていることを判別する点である。図３に示す回転速度が高まったダメージ危険域では２枚以上のディスクが固定装置１０から離れ易くなり、しかも離れた場合は、ディスク装置およびディスク自体に深刻な損傷を与えてしまう。従って、本発明は、回転速度がダメージ危険域に至る前に２枚以上のディスクが載置されていることを判別することで、２枚以上のディスクが固定装置１０から離れない状態で検出を可能としている。
ステップＳ１０で判別するための基準回転速度ω０は、例えばコントローラ１１のメモリに予め記憶しておく。ステップＳ９に示すように、回転速度比を算出した後、速度比から慣性モーメント（イナーシャ）比、すなわち装着ディスクの基準である１２ｃｍディスクの慣性モーメントに対する比率を算出する。慣性モーメント比の算出結果から、２枚以上のディスクをディスク装置に戴置されていることを検出できる。判別結果は、コントローラ１１のメモリに記憶しておく。
ステップＳ１０がＹｅｓの場合、コントローラ１１はステップＳ１１に示すように、回転制御部３に指令を出し、モータ２を停止させる。同時にコントローラ１１はディスク起動手順を途中中断し、ステップＳ１２に示すように、外部インターフェイス１２を使用して、ホスト装置１３に起動停止したことを通知する。こうすることで、ホスト装置１３ならびにユーザに対して、２枚以上のディスクを載置していることをメッセージ表示や音声などによって通知することが可能である。例えば、メッセージ表示例として「２枚以上のディスクを載置しています。イジェクトして1枚のディスクをトレーに載せてください。」を表示すればよい。ユーザは、この通知によって２枚以上のディスクをトレー（不図示）に載置したことを知り、２枚以上のディスクをイジェクト後、記録または再生すべき所定の１枚のディスクをトレーに載置して図２のステップＳ１からやり直しをする。このことでディスク及びディスク装置の損傷を未然に防止できると共に、ユーザはメッセージによって状況を的確に把握でき、ユーザに次なる行動をスムーズに導くことができる。
ステップＳ１０がＮｏの場合、コントローラ１１はステップＳ１３のように、モータ３の回転速度をデータ読み込みに必要な回転速度ωmaxまで加速させる。
【０００７】
ステップＳ１４〜Ｓ１５は従来のディスク起動手順であって、光ピックアップ４からレーザを発光し、反射光を取得する。信号処理制御部８は反射光から各種フォーカスエラー信号、トラッキングエラー信号他を生成し、コントローラ１１に送る。コントローラ１１は信号処理部８から取得したフォーカスエラー信号、トラッキングエラー信号を元に回転制御部３、光ピック制御部５、粗動モータ制御部７に指令を出し、信号処理制御部８が最適なデータ信号を取得できるようにサーボ制御を行う。
【０００８】
ディスク起動手順が完了すると、ステップＳ１６に示すように、コントローラ１１はインターフェイス１２を通して、ホスト装置１３に、ディスク起動手順完了を通知する。
【０００９】
以上のように、本発明の実施形態によれば、固定装置10に厚みセンサーを取り付けることなく、プログラムの修正を行うだけで、２枚以上のディスクを戴置したことを検出し、ディスクの回転速度が大きくなる前に回転駆動を停止することで、ディスクおよびディスク装置に損傷を与えることなく安全に利用することができる。
【００１０】
なお、本実施の形態では、２枚以上のディスクが載置されたことを検出する手段（9,11）は、駆動手段2によりディスクを駆動してから一定時間経過後におけるディスクの回転速度を検出することで行ったが、一定回転数速度に至る時間を検出することでも２枚以上のディスクが載置されたことを検出することが可能である。
【産業上の利用可能性】
【００１１】
以上のように、本発明にかかる光ディスク装置は、光ディスクの再生装置や記録装置等の用途にも適用できる。
【図面の簡単な説明】
【００１２】
【図１】本発明の一実施携帯である光ディスク装置の構成を示すブロック図
【図２】本発明の原理を説明するフローチャート
【図３】駆動開始からの経過時間と回転速度との関係を示す特性図
【符号の説明】
【００１３】
１    光ディスク
２    モータ
３    回転制御部
４    光ピックアップ
５    光ピックアップ制御部
６    粗動モータ
７    粗動モータ制御部
８    信号処理制御部
９    角速度センサー
１０    ディスク固定装置
１１    コントローラ
１２    外部インターフェイス
１３    ホスト装置
【図１】
2010198710.tif 000003
【図２】
2010198710.tif 000004
【図３】
2010198710.tif 000005